(57)【要約】【課題】本発明は除湿装置に関するもので、送風範囲を広げ、その送風範囲内で風速分布を均一にすることが課題である。【解決手段】略長方形の吹出口を有する本体ケースに設けられた除湿手段と、送風手段と、送風手段から送風される空気の送風方向を変更する風向変更ユニットとからなり、風向変更ユニットは、吹出口に備え、送風手段の送風方向を変更する複数の風向変更板と、風向変更板を回転可能に固定支持する回転軸とを備え、回転軸は、吹出口の長手方向に伸び、風向変更板は、吹出口からの吹出し方向に対して、送風方向を吹出口の長手方向に広げるように吹出し方向に対して傾斜角度を持って取付けられ、吹出口の長手方向における中央付近に位置する風向変更板には、送風方向の上流側に切欠き部を設けるので、送風範囲をさらに広げながら、その送風範囲内で風速分布を均一にすることができるものである。【選択図】図２
2015137796.tif 000002
【特許請求の範囲】
【請求項１】
略長方形の吹出口を有する本体ケースとこの本体ケース内に設けられた除湿手段と、前記除湿手段で除湿された空気を搬送する送風手段と、前記送風手段から送風される空気の送風方向を変更する風向変更ユニットとからなり、前記風向変更ユニットは、前記吹出口に備え、前記送風手段の送風方向を変更する複数の風向変更板と、前記風向変更板を回転可能に固定支持する回転軸とを備え、前記回転軸は、吹出口の長手方向に伸び、前記風向変更板は、吹出口からの吹出し方向に対して、送風方向を吹出口の長手方向に広げるように吹出し方向に対して傾斜角度を持って取付けられ、傾斜した前記風向変更板を回転させるときの可動範囲が実質的に同じ円形とし、前記吹出口の長手方向における中央付近に位置する前記風向変更板には、送風方向の上流側に切欠き部を設けることを特徴とする除湿装置。
【請求項２】
前記送風手段を、ファンケーシングと、前記ファンケーシング内で回転送風する羽根車とからなるシロッコファンとして構成し、前記風向変更板の切欠き部を前記ファンケーシングの舌部付近に備えることを特徴とする請求項１記載の除湿装置。
【請求項３】
前記風向変更板の切欠き部を、前記吹出口の長手方向における中央付近に向かって大きくしていくことを特徴とする請求項１または２記載の除湿装置。
【請求項４】
前記風向変更板の端部を連結する連結リブを設けた請求項１から３のいずれかに記載の除湿装置。
【請求項５】
前記風向変更板の吹出し方向に対する傾斜角度を送風の上流側から下流側に向かって、変更することを特徴とする請求項１から４のいずれかに記載の除湿装置。
【請求項６】
前記風向変更板の吹出し方向に対する傾斜角度を送風の上流側から下流側に向かって、大きくすることを特徴とする請求項５記載の除湿装置。
【発明の詳細な説明】
【技術分野】
【０００１】
本発明は、室内の空気を吸い込み、除湿した空気を送風する除湿装置に関する。
【背景技術】
【０００２】
従来、この種の除湿装置は、吹出口に風向変更ユニットを備え、有効変更ユニットは回転可能に設けられた軸に複数枚の風向変更板を取付けたものを回転させることによって、乾燥空気の送風範囲を様々な衣類乾燥シーンに応じて変更可能とすることで、乾きムラや衣類乾燥時間の低減を図ることができるものが知られている（例えば、特許文献１参照）。
【先行技術文献】
【特許文献】
【０００３】
【特許文献１】特許第４７５２４８９号公報
【発明の概要】
【発明が解決しようとする課題】
【０００４】
上記従来例における課題は、送風範囲をさらに広げることと、その送風範囲内で風速分布を均一にすることである。
【０００５】
すなわち、昨今は洗濯物を室内に干し除湿装置などで乾燥を行う、いわゆる部屋干しニーズが高まっている。そして洗濯物を幅広に干し、その洗濯物に向け送風する使用方法が主流となりつつあり、従来のものよりさらに送風範囲の拡大が求められている。
【０００６】
従来の物においては、さらに送風範囲を拡大する課題に対しては、風向変更板の取付け傾斜をさらに大きくさせる方法が考えられるが、一方で、幅広方向にのみ送風され、中心部分の風速が少なくなり、風速分布の不均一を招くなどの課題があった。また、風向変更板を大きくする必要があるため、送風抵抗の増大、製品サイズの拡大などの課題があった。
【０００７】
そこで本発明は、送風範囲をさらに広げながら、その送風範囲内で風速分布を均一にすることを目的としている。
【課題を解決するための手段】
【０００８】
本発明の除湿装置は上記目的を達成するために、略長方形の吹出口を有する本体ケースとこの本体ケース内に設けられた除湿手段と、前記除湿手段で除湿された空気を搬送する送風手段と、前記送風手段から送風される空気の送風方向を変更する風向変更ユニットとからなり、前記風向変更ユニットは、前記吹出口に備え、前記送風手段の送風方向を変更する複数の風向変更板と、前記風向変更板を回転可能に固定支持する回転軸とを備え、前記回転軸は、吹出口の長手方向に伸び、前記風向変更板は、吹出口からの吹出し方向に対して、送風方向を吹出口の長手方向に広げるように吹出し方向に対して傾斜角度を持って取付けられ、傾斜した前記風向変更板を回転させるときの可動範囲が実質的に同じ円形とし、前記吹出口の長手方向における中央付近に位置する前記風向変更板には、送風方向の上流側に切欠き部を設けることを特徴とし、これにより所期の目的を達成するものである。
【発明の効果】
【０００９】
以上のように本発明は、略長方形の吹出口を有する本体ケースとこの本体ケース内に設けられた除湿手段と、前記除湿手段で除湿された空気を搬送する送風手段と、前記送風手段から送風される空気の送風方向を変更する風向変更ユニットとからなり、前記風向変更ユニットは、前記吹出口に備え、前記送風手段の送風方向を変更する複数の風向変更板と、前記風向変更板を回転可能に固定支持する回転軸とを備え、前記回転軸は、吹出口の長手方向に伸び、前記風向変更板は、吹出口からの吹出し方向に対して、送風方向を吹出口の長手方向に広げるように吹出し方向に対して傾斜角度を持って取付けられ、傾斜した前記風向変更板を回転させるときの可動範囲が実質的に同じ円形とし、前記吹出口の長手方向における中央付近に位置する前記風向変更板には、送風方向の上流側に切欠き部を設けたものであり、これにより、送風範囲をさらに広げながら、その送風範囲内で風速分布を均一にすることができるものである。
【００１０】
すなわち、送風範囲を広げるために風向変更板の取付け傾斜角度をさらに大きくした場合、前記吹出口の長手方向の端部分にのみ送風され、中心部分の風速が小さくなるが、吹出口の幅方向中心付近に位置する風向変更板に、送風の上流側に切り欠き部を設けることにより、中心部分の風の抜けを良くし、中心部分の風速が小さくなるのを抑制し、風速を確保することができる。
【００１１】
結果として、送風範囲をさらに広げながら、その送風範囲内で風速分布を均一にすることができるものである。
【図面の簡単な説明】
【００１２】
【図１】本発明の実施形態の除湿装置の外観斜視図
【図２】同除湿装置の外観斜視図
【図３】同除湿装置の風向変更ユニットの透視図
【図４】同除湿装置の送風手段および風向変更ユニットの分解斜視図
【図５】同除湿装置のブロック図
【図６】同除湿装置のワイド送風時の透視図
【図７】同除湿装置のスポット送風時の透視図
【発明を実施するための形態】
【００１３】
以下、本発明の実施例について図面を参照しながら説明する。
【００１４】
（実施の形態１）
図１、２には本実施の形態の外観斜視図を示す。除湿装置の本体ケース１は、箱形状で、上部には略長方形の吹出口２を有しており、側部には吸込口３を有している。また、本体ケース１下部にはタンクを有している。さらに上部には操作部４を有しており、ユーザーは、この操作部４を操作することで、本除湿装置の操作を行うことができ、室内の湿った空気を吸込口３から吸込み、本体ケース１内の除湿手段（図１では図示せず）により除湿が行われ、吹出口２から乾燥空気として室内に戻される。そして除湿した水分は水滴となりタンク５に貯水される。
【００１５】
図３には風向変更ユニット６の透視図を示す。吹出口２には風向変更ユニット６が配置され、風向変更ユニット６を介して吹出口２に送風するように送風手段７を設置している。
【００１６】
図４には風向変更ユニット６と送風手段７の分解斜視図を示す。
【００１７】
送風手段７は、風路を構成しスクロール形状のケーシング８と、ケーシング８内で回転することにより昇圧し送風する羽根車９と、羽根車９を回転駆動するモータ１０とから構成され、所謂、シロッコファンとして構成されている。
【００１８】
ケーシング８は、空気が流入する流入口１１と空気が流出する吐出口１２を有し、昇圧した空気を吐出口１２に向かわせる舌部１３を有している。そして吐出口１２が本体ケース１の吹出口２に連通するように構成されている。
【００１９】
風向変更ユニット６は、本体ケース１の吹出口２に取り付けられ、ケーシング８の吐出口１２の下流側に位置する。風向変更ユニット６は回転手段１４により回転可能に設けられている。また、回転手段１４としては、小型モータなどが使用される。
【００２０】
風向変更ユニット６は回転手段１４に連結される回転軸１５と、回転軸１５に貫通されて固定される複数枚の風向変更板１６にて構成されている。回転軸１５は、吹出口２の長手方向に伸びるように設置されている。風向変更板１６は左右に傾斜方向を逆方向にして回転軸１５に固定され、回転軸１５の端に近いものほど、垂直面に対して傾斜角度を大とするように固定されている。風向変更板１６の端部は連結リブ１７で連結されており、各風向変更板１６を連結することで風向変更ユニット６の強度を確保している。
【００２１】
また、風向変更板１６の回転軸１５方向の投影形状は円形をなし、傾斜した風向変更板１６を回転させるときの可動範囲が略円形となっているので、風向変更板１６の回転を可能にしている。
【００２２】
図５には制御ブロック図を示す。本体ケース１内には制御部１８を備え、この制御部１８は、除湿手段１９と、送風手段７と、回転手段１４とを接続している。これらの各手段は制御部１８により制御駆動されており、操作部４のユーザーの操作により、各種運転を切替えながら除湿装置を運転することができる。
【００２３】
そして、上記、風向変更ユニット６においては操作部４の操作により、回転手段１４は回転動作と停止状態を選択可能であり、連続回転または吹き出し方向を所望角度に停止して使用できるようになっている。
【００２４】
上記構成において、本体ケース１の吸込口３から吸込まれた室内空気は、除湿手段１９により除湿され、除湿された空気はケーシング８の流入口１１から送風手段７に流入し、吐出口１２から風向変更ユニット６に送られる。風向変更ユニット６では、直線的に流れてきた空気がそれぞれ風向変更板１６に沿うように流れることにより風向が変更され、吹出口２付近では、吹出口２の長手方向にワイドに広がるように送風されることになる。
【００２５】
図６には、送風範囲をワイドに送風する再の風向変更ユニット６の位置関係を示し、図７には、送風範囲をスポットに送風する再の風向変更ユニット６の位置関係を示す。
【００２６】
ユーザーは、操作部４の操作により上記送風範囲を選択可能であり、また、その中間の送風範囲がストレートとなる送風も任意に選択可能である。
【００２７】
本実施形態の特徴は、図６に示すように、吹出口２の長手方向における中央付近に位置する風向変更板１６に、送風方向の上流側に切欠き部２０を設けた点である。複数の風向変更板１６のうち、何枚かについて、薄板状の風向変更板１６の一部分を短くし切欠き部２０を形成し、図５においては、下方向から送風されるので、切欠き部２０は送風の上流側である風向変更ユニット６の下方向に設けられ、結果として、風向変更ユニット６の下部中央部分に空間が設けられる。
【００２８】
すなわち、送風範囲を広げるために風向変更板１６の取付け傾斜角度をさらに大きくした場合、吹出口２の長手方向の端方向にのみ送風され、中央部分の風速が小さくなるが、吹出口２の長手方向中央付近に位置する風向変更板１６に、送風の上流側に切欠き部２０を設けることにより、中央部分の風の抜けを良くし、中央部分の風速が小さくなるのを抑制し、中央部分の風速も確保することができる。
【００２９】
結果として、送風範囲をさらに広げながら、その送風範囲内で風速分布を均一にすることができるものである。
【００３０】
また、風向変更板１６の切欠き部２０をケーシング８の舌部１３付近に備えるものである。舌部１３は、ケーシング８内で回転する羽根車９により昇圧された空気の風向を吹出口２に向かわせるので、吹出口２に対して、略中央に位置することになる。そして舌部１３付近は、風速が速くなる部分でもある。
【００３１】
すなわち、ケーシング８の舌部１３付近は、風速が速くなる部分であり、その部分の風向変更板１６に切欠き部２０を設けることにより、風速の速い部分に風路抵抗となる障害物を置くことがなくなり、風路抵抗の減少、更には送風騒音の低下をさせることができる。
【００３２】
さらに、同じ大きさの風向変更ユニット６であれば、切欠き部２０を設けることにより、ケーシング８の舌部１３と距離を保ちながら風向変更板１６を送風手段７に対して、近づけて設置することができる。
【００３３】
結果として、送風範囲を広げ、その送風範囲内で風速分布を均一にすることができるとともに、送風騒音を低減したコンパクトな除湿装置を提供することができる。
【００３４】
また、風向変更板１６の切欠き部２０を、吹出口２の長手方向における中央付近に向かって大きくしていくものである。吹出口２に対する風速分布は均一ではなく中央部分の風速が速くなっているが、それにあわせて、切欠き部２０の大きさを調整する。
【００３５】
すなわち、吹出口２の中央部分については、送風されてきた風をそのまま吹出せばよいので、切欠き部２０を大きくしても良く、また切欠き部２０を大きくするほうが風路抵抗を低減することができる。さらに、その大きくした切欠き部２０に向けて、近隣の風向変更板についても徐々に切欠き部２０を大きくすることにより、風速分布を均一にすることができる。
【００３６】
結果として、送風範囲をさらに広げながら、その送風範囲内で風速分布を均一にすることができるものである。
【００３７】
また、風向変更板１６の端部を連結する連結リブ１７を設けたものである。
【００３８】
すなわち、各風向変更板１６を連結して一体化することで強度が増して、風圧による風向変更板１６の変形や回転軸１５の曲がりを防止することが風向変更ユニットの通風抵抗を抑えることができる。さらに、風向変更板１６の強度が高まり、微少振動を抑えて、騒音や振動を発生させないので、低騒音を実現できる。
【００３９】
結果として、送風範囲を広げ、その送風範囲内で風速分布を均一にすることができるとともに、送風騒音を低減した除湿装置を提供することができる。
【００４０】
また、風向変更板１６の吹出し方向に対する傾斜角度を送風の上流側から下流側に向かって、変更するものである。
【００４１】
すなわち、風向変更板１６の傾斜角度を送風の上流側は送風手段７から送風されてきた方向にあわせるように設置し、送風の下流に向けて、送風させたい方向へ傾斜角度を変更させることにより、風が風向変更板１６に急激にぶつかることを防止し、風路抵抗を低減させながら、送風範囲を拡大することができる。風路抵抗を低減は、送風騒音の低減に有効である。
【００４２】
結果として、送風範囲を広げ、その送風範囲内で風速分布を均一にすることができるとともに、送風騒音を低減した除湿装置を提供することができる。
【００４３】
また、風向変更板１６の吹出し方向に対する傾斜角度を送風の上流側から下流側に向かって、大きくするものである。
【００４４】
すなわち、風向変更板１６の傾斜角度を送風の上流側は送風手段７から送風されてきた方向にあわせるように設置し、送風の下流に向けて、吹出口２の長手方向に向けて傾斜角度を大きくすることにより、風が風向変更板１６に急激にぶつかることを防止し、風路抵抗を低減させながら、送風範囲を拡大することができる。風路抵抗を低減は、送風騒音の低減に有効である。
【００４５】
結果として、送風範囲を広げ、その送風範囲内で風速分布を均一にすることができるとともに、送風騒音を低減した除湿装置を提供することができる。
【産業上の利用可能性】
【００４６】
以上のように本発明は、略長方形の吹出口を有する本体ケースとこの本体ケース内に設けられた除湿手段と、前記除湿手段で除湿された空気を搬送する送風手段と、前記送風手段から送風される空気の送風方向を変更する風向変更ユニットとからなり、前記風向変更ユニットは、前記吹出口に備え、前記送風手段の送風方向を変更する複数の風向変更板と、前記風向変更板を回転可能に固定支持する回転軸とを備え、前記回転軸は、吹出口の長手方向に伸び、前記風向変更板は、吹出口からの吹出し方向に対して、送風方向を吹出口の長手方向に広げるように吹出し方向に対して傾斜角度を持って取付けられ、
傾斜した前記風向変更板を回転させるときの可動範囲が実質的に同じ円形とし、前記吹出口の長手方向における中央付近に位置する前記風向変更板には、送風方向の上流側に切欠き部を設けたものであり、これにより、送風範囲をさらに広げながら、その送風範囲内で風速分布を均一にすることができるものである。
【００４７】
すなわち、送風範囲を広げるために風向変更板の取付け傾斜角度をさらに大きくした場合、幅方向の端部分にのみ送風され、中心部分の風速が小さくなるが、吹出し口の幅方向中心付近に位置する風向変更板に、送風の上流側に切り欠き部を設けることにより、中心部分の風の抜けを良くし、中心部分の風速が小さくなるのを抑制し、風速を確保することができる。
【００４８】
結果として、送風範囲をさらに広げながら、その送風範囲内で風速分布を均一にすることができるものであり、ワイドに干された洗濯物の乾燥を行う際にも、均一にすばやく乾燥することができるものである。
【００４９】
従って、家庭用や事務所用などの、衣類乾燥を行える除湿装置として活用が期待されるものである。
【符号の説明】
【００５０】
１      本体ケース
２      吹出口
３      吸込口
４      操作部
５      タンク
６      風向変更ユニット
７      送風手段
８      ケーシング
９      羽根車
１０    モータ
１１    流入口
１２    吐出口
１３    舌部
１４    回転手段
１５    回転軸
１６    風向変更板
１７    連結リブ
１８    制御部
１９    除湿手段
２０    切欠き部
【図１】
2015137796.tif 000003
【図２】
2015137796.tif 000004
【図３】
2015137796.tif 000005
【図４】
2015137796.tif 000006
【図５】
2015137796.tif 000007
【図６】
2015137796.tif 000008
【図７】
2015137796.tif 000009